(57)【要約】      （修正有）【解決手段】ＩＣタグホルダーＨの下端部水平リブｈ１ｂに、弾性変形可能な弾性調整部材Ｈ１が形成されているとともに、ＩＣタグホルダーＨに形成された弾性部材Ｈ２の弾性板状部ｈ１ｇには、係止突条ｈ１ｈが形成されており、ＩＣタグホルダーＨが、溶着パレットＰのＩＣタグホルダー収容空間Ａに収容された際には、ＩＣタグホルダーＨの弾性調整部材Ｈ１が、ＩＣタグホルダー収容空間Ａを形成する底部ａ３に当接するとともに、ＩＣタグホルダーＨの弾性部材の弾性板状部に形成された係止突条ｈ１ｈが、ＩＣタグホルダー収容空間Ａを形成する垂直奥壁に形成された係止段差に係止されるように構成したものである。【効果】ＩＣタグホルダーの高さより小さい場合には、ＩＣタグホルダーのガタツキや振動を防止することができるとともに、ＩＣタグホルダーの高さより大きい場合には、ＩＣタグホルダーの損傷を防止することができる。【選択図】図１１
2014034402.tif 000002
【特許請求の範囲】
【請求項１】
上部スキッドと下部スキッドとを、溶着面で溶着することにより形成されている溶着パレットにＩＣタグホルダーが取り付けられているＩＣタグホルダー付き溶着パレットにおいて、ＩＣタグホルダーの下端部水平リブに、弾性変形可能な弾性調整部材が形成されているとともに、ＩＣタグホルダーに形成された弾性部材の弾性板状部には、係止突条が形成されており、ＩＣタグホルダーが、溶着パレットのＩＣタグホルダー収容空間に収容された際には、ＩＣタグホルダーの弾性調整部材が、ＩＣタグホルダー収容空間を形成する底部に当接するとともに、ＩＣタグホルダーの弾性部材の弾性板状部に形成された係止突条が、ＩＣタグホルダー収容空間を形成する垂直奥壁に形成された係止段差に係止されるように構成されていることを特徴とするＩＣタグホルダー付き溶着パレット。
【請求項２】
ＩＣタグホルダー収容空間に、ＩＣタグホルダーが取り付けられた際に、ＩＣタグホルダーが近接して位置する上部壁部と下部壁部を形成したことを特徴とする請求項１に記載のＩＣタグホルダー付き溶着パレット。          
【発明の詳細な説明】
【技術分野】
【０００１】
本発明は、物品の運搬、移送、保管等に使用されるＩＣタグホルダー付き溶着パレットに関するものであり、ＩＣタグホルダーには、ＩＣタグが収容されており、ＩＣタグは、溶着パレットのサイズや材質や所有者等のパレット自体に関する情報及び溶着パレットに載置される物品の種類や個数や行き先等の物品自体に関する情報等の種々の情報が蓄積されるＩＣチップや電池やアンテナ等が収容されている。
【背景技術】
【０００２】
従来、ＩＣタグが収容されたＩＣタグホルダーを、溶着パレットに形成されたＩＣタグホルダー収容部に収容することが行われている。このようなＩＣタグホルダー付き溶着パレットは、一例として、特許文献１に開示されている。
【０００３】
【特許文献１】特開２００９−７８８２７号公報
【発明の開示】
【発明が解決しようとする課題】
【０００４】
上述した従来のＩＣタグホルダー付き溶着パレットにおいては、ＩＣタグホルダーの上下端が、溶着パレットのＩＣタグホルダー収容部に形成された固定ブロック間に挟持されるように構成されている。しかしながら、一対のスキッドを溶着することにより形成される溶着パレットにおいては、一対のスキッドを溶着した際に、一対のスキッドに形成された固定ブロックの間隔が、一定せず、ＩＣタグホルダーの高さより、大きかったり、小さくなる場合がある。
【０００５】
一対のスキッドに形成された固定ブロックの間隔が、ＩＣタグホルダーの高さより大きい場合には、ＩＣタグホルダーが、一対の固定ブロック間で移動し、ＩＣタグホルダーが、溶着パレットから外れたり、損傷するという問題があった。また、一対のスキッドに形成された固定ブロックの間隔が、ＩＣタグホルダーの高さより小さい場合には、ＩＣタグホルダーが変形し、ＩＣタグホルダーが、損傷するという問題があった。
【０００６】
本発明の目的は、上述した従来のＩＣタグホルダー付き溶着パレットが有する課題を解決することにある。
【課題を解決するための手段】
【０００７】
本発明は、上述した目的を達成するために、第１には、上部スキッドと下部スキッドとを、溶着面で溶着することにより形成されている溶着パレットにＩＣタグホルダーが取り付けられているＩＣタグホルダー付き溶着パレットにおいて、ＩＣタグホルダーの下端部水平リブに、弾性変形可能な弾性調整部材が形成されているとともに、ＩＣタグホルダーに形成された弾性部材の弾性板状部には、係止突条が形成されており、ＩＣタグホルダーが、溶着パレットのＩＣタグホルダー収容空間に収容された際には、ＩＣタグホルダーの弾性調整部材が、ＩＣタグホルダー収容空間を形成する底部に当接するとともに、ＩＣタグホルダーの弾性部材の弾性板状部に形成された係止突条が、ＩＣタグホルダー収容空間を形成する垂直奥壁に形成された係止段差に係止されるように構成したものであり、第２には、ＩＣタグホルダー収容空間に、ＩＣタグホルダーが取り付けられた際に、ＩＣタグホルダーが近接して位置する上部壁部と下部壁部を形成したものである。
【発明の効果】
【０００８】
上部スキッドと下部スキッドとを、溶着面で溶着することにより形成されている溶着パレットにＩＣタグホルダーが取り付けられているＩＣタグホルダー付き溶着パレットにおいて、ＩＣタグホルダーの下端部水平リブに、弾性変形可能な弾性調整部材が形成されているとともに、ＩＣタグホルダーに形成された弾性部材の弾性板状部には、係止突条が形成されており、ＩＣタグホルダーが、溶着パレットのＩＣタグホルダー収容空間に収容された際には、ＩＣタグホルダーの弾性調整部材が、ＩＣタグホルダー収容空間を形成する底部に当接するとともに、ＩＣタグホルダーの弾性部材の弾性板状部に形成された係止突条が、ＩＣタグホルダー収容空間を形成する垂直側壁に形成された係止段差に係止されるように構成したので、特許文献１に記載の一対のスキッドに形成された固定ブロックの間隔が、一定せず、ＩＣタグホルダーの高さより、大きかったり、小さくなる場合があっても、その誤差を、弾性調整部材により、吸収することができるので、ＩＣタグホルダーの高さより小さい場合には、ＩＣタグホルダーのガタツキや振動を防止することができるとともに、ＩＣタグホルダーの高さより大きい場合には、ＩＣタグホルダーの損傷を防止することができる。
【０００９】
ＩＣタグホルダー収容空間に、ＩＣタグホルダーが取り付けられた際に、ＩＣタグホルダーが近接して位置する上部壁部と下部壁部を形成したので、ＩＣタグホルダーを、より安定した状態で、ＩＣタグホルダー収容空間に収容することができ、従って、ＩＣタグホルダーＨに取り付けられたＩＣタグに蓄積された情報を、正確に、読み取りできるとともに、情報を、確実に、書き込むことができる。
【図面の簡単な説明】
【００１０】
【図１】図１は、本発明の溶着パレットの上面からの斜視図である。
【図２】図２は、本発明の溶着パレットの下面からの斜視図である。
【図３】図３は、本発明の溶着パレットの上部デッキの部分拡大斜視図である。
【図４】図４は、本発明の溶着パレットのＩＣタグホルダー収容空間の部分拡大斜視図である。
【図５】図５は、本発明の溶着パレットのＩＣタグホルダー収容空間の一部垂直断面を含む部分拡大斜視図である。
【図６】図６は、本発明の溶着パレットを構成する上部スキッドの部分拡大斜視図である。
【図７】図７は、本発明の溶着パレットを構成する下部スキッドの部分拡大斜視図である。
【図８】図８は、本発明の溶着パレットに取り付けられるＩＣタグホルダーの斜視図である。
【図９】図９は、同じく、本発明の溶着パレットに取り付けられるＩＣタグホルダーの斜視図である。
【図１０】図１０は、ＩＣタグが取り付けられた状態のＩＣタグホルダーの斜視図である。
【図１１】図１１は、本発明の溶着パレットのＩＣタグホルダー収容空間にＩＣタグホルダーが取り付けられた状態の一部垂直断面を含む部分拡大斜視図である。
【図１２】図１２は、同じく、本発明の溶着パレットのＩＣタグホルダー収容空間にＩＣタグホルダーが取り付けられた状態の一部垂直断面を含む部分拡大斜視図である。
【図１３】図１３は、同じく、本発明の溶着パレットのＩＣタグホルダー収容空間にＩＣタグホルダーが取り付けられた状態の一部垂直断面を含む部分拡大斜視図である。
【実施例】
【００１１】
以下に、本発明の実施例について説明するが、本発明の趣旨を越えない限り、何ら、本実施例に限定されるものではない。
【００１２】
先ず最初に、図１及び図２を用いて、ＩＣタグホルダー付き溶着パレット（以下、単に、溶着パレットと称する。）Ｐについて説明する。
【００１３】
溶着パレットＰは、公知のように、上部スキッドＰ’と下部スキッドＰ”とを溶着することにより形成されている。上部スキッドＰ’の相対する一方の辺部には、側部桁部ｐ１’が形成されており、また、相対する側部桁部ｐ１’の中間部には、中間桁部ｐ２’が形成されている。同様に、下部スキッドＰ”の相対する一方の辺部にも、側部桁部ｐ１”が形成されており、また、相対する側部桁部ｐ１”の中間部にも、中間桁部ｐ２”が形成されている。このような上部スキッドＰ’と下部スキッドＰ”とを、溶着面ｐ３で溶着することにより、上部スキッドＰ’の相対する側部桁部ｐ１’と下部スキッドＰ”の相対する側部桁部ｐ１”とにより、側部桁ｐ１か形成され、また、上部スキッドＰ’の中間桁部ｐ２’と下部スキッドＰ”の中間桁部ｐ２”とにより、中間桁ｐ２が形成さている。このようにして形成された溶着パレットＰには、相対する側部桁ｐ１と中間桁ｐ２との間には、フォークリフトのフォークが挿入されるフォーク挿入口ｐ４が形成されている。更に、溶着パレットＰの下部デッキｐ５には、相対する側部桁ｐ１の端部と中間桁ｐ２の端部を連結する端部架橋桟ｐ６が形成されているとともに、相対する側部桁ｐ１の中央部と中間桁ｐ２の中央部を連結する中央架橋桟ｐ７が形成されている。
【００１４】
溶着パレットＰの上部デッキｐ８には、後述するＩＣタグホルダーＨが、挿入可能なＩＣタグホルダー挿入開口ｐ９が形成されており、また、ＩＣタグホルダー挿入開口ｐ９から挿入されるＩＣタグホルダーＨが収容されるＩＣタグホルダー収容空間Ａが、端部架橋桟ｐ６と中央架橋桟ｐ７との間に位置する中間桁ｐ２の所定の側壁ｐ２ａに形成されている。
【００１５】
上部デッキｐ８に形成されたＩＣタグホルダー挿入開口ｐ９は、図３に示されているように、中間桁ｐ２に沿って、平面形状が、略長方形に形成されており、また、ＩＣタグホルダー挿入開口ｐ９の両端部に位置する端部幅狭部ｐ９ａと、幅狭部ｐ９ａ間に位置する中央広幅部ｐ９ｂとから形成されている。
【００１６】
次に、図３〜図５を用いて、ＩＣタグホルダー挿入開口ｐ９から挿入されＩＣタグホルダーＨが収容される、中間桁ｐ２の側壁ｐ２ａに形成されたＩＣタグホルダー収容空間Ａについて説明する。
【００１７】
ＩＣタグホルダー収容空間Ａは、ＩＣタグホルダー挿入開口ｐ９の長手方向に位置するとともに、中間桁ｐ２から遠い方向に位置する略面一な垂直奥壁ａ１を有しており、垂直奥壁ａ１の上部デッキｐ８から近い位置には、係止段差ａ１ａが形成されている。また、ＩＣタグホルダー収容空間Ａは、ＩＣタグホルダー挿入開口ｐ９の両端部に位置する幅狭部ｐ９ａを形成する相対する垂直側壁ａ２を有している。更に、ＩＣタグホルダー収容空間Ａは、水平な底部ａ３を有しており、底部ａ３の裏面と垂直奥壁ａ１との隅部には、三角形状の底部補強リブａ４が形成されている。更にまた、ＩＣタグホルダー収容空間Ａを形成する相対する垂直側壁ａ２の端部には、垂直側壁ａ２に略垂直で、且つ、垂直奥壁ａ１に略平行な上部壁部ａ５と下部壁部ａ６が形成されている。更にまた、ａ１０は、ＩＣタグホルダー挿入開口ｐ９を挟んで、垂直奥壁ａ１と対向するように、且つ、相対する垂直側壁ａ２を連結する、上部デッキｐ８から垂下された上端水平リブである。このように、垂直奥壁ａ１と相対する垂直側壁ａ２と底部ａ３と上部壁部ａ５と下部壁部ａ６と上端水平リブａ１０により、ＩＣタグホルダー収容空間Ａが形成されており、ＩＣタグホルダー挿入開口ｐ９は、ＩＣタグホルダー収容空間Ａに連通されている。従って、ＩＣタグホルダー挿入開口ｐ９から挿入されたＩＣタグホルダーＨは、ＩＣタグホルダー収容空間Ａに収容されるように構成されている。
【００１８】
図６に示されているように、上部スキッドＰ’には、ＩＣタグホルダー収容空間Ａの垂直奥壁ａ１を形成する上部スキッド側垂直奥壁ａ１’と、相対する垂直側壁ａ２を形成する上部スキッド側垂直側壁ａ２’と、上部壁部ａ５と、上端水平リブａ１０とが形成されている。また、図７に示されているように、下部スキッドＰ”には、ＩＣタグホルダー収容空間Ａの垂直奥壁ａ１を形成する下部スキッド側垂直奥壁ａ１”と、相対する垂直側壁ａ２を形成する下部スキッド側垂直側壁ａ２”と、底部ａ３と、下部壁部ａ６とが形成されている。
【００１９】
上述したように形成されている上部スキッドＰ’と下部スキッドＰ”とを溶着面ｐ３で溶着することにより、溶着パレットＰが形成されている。
【００２０】
次に、図８〜図１０を用いて、ＩＣタグホルダーＨについて説明する。
【００２１】
ＩＣタグホルダーＨは、中央厚肉本体ｈ１と、中央厚肉本体ｈ１を形成する相対する垂直端部リブｈ１ａから外側に延在する幅狭な薄肉部ｈ２とを有している。また、中央厚肉本体ｈ１を形成する下端部水平リブｈ１ｂの裏面の両端部には、適当数の端部垂直リブｈ１ｃが垂設されており、相対する端部垂直リブｈ１ｃ間に位置する中央部に位置する下端部水平リブｈ１ｂの裏面には、下端部水平リブｈ１ｂの長手方向に沿って、その一端が、下端部水平リブｈ１ｂの裏面に連結されている平板状の弾性調整部材Ｈ１が形成されており、且つ、弾性調整部材Ｈ１の自由端部は、端部垂直リブｈ１ｃの下端を越えて下方に延在するように構成されている。
【００２２】
ＩＣタグホルダーＨの中央厚肉本体ｈ１を形成する上端水平リブｈ１ｄと、上端水平リブｈ１ｄの下方に形成された上部水平リブｈ１ｅと、相対する垂直端部リブｈ１ａとにより囲まれた領域には、Ｕ字状スリットｈ１ｆと、Ｕ字状スリットｈ１ｆに囲まれた弾性板状部ｈ１ｇとからなる弾性部材Ｈ２が形成されており、弾性板状部ｈ１ｇの下端には、弾性板状部ｈ１ｇに垂直な係止突条ｈ１ｈが形成されている。本実施例においては、弾性部材Ｈ２が、上端水平リブｈ１ｄにそって、２個形成されている例が示されている。また、ｈ１ｉは、Ｕ字状スリットｈ１ｆに囲まれた弾性板状部ｈ１ｇに形成された、上端水平リブｈ１ｄまで延びるＩＣタグホルダーＨの係止状態解除凹部であり、ＩＣタグホルダーＨを、取り外す際に使用されるマイナスドライバーや棒状等の取外し具が挿入されることになる。
【００２３】
下端部水平リブｈ１ｂの上方には、下端部水平リブｈ１ｂと対向するように中間部水平リブｈ１ｊが形成されており、相対する垂直端部リブｈ１ａと、下端部水平リブｈ１ｂと、中間部水平リブｈ１ｊとに囲まれた領域には、板状のＩＣタグＴが収容されるように構成されている。ＩＣタグＴは、一例として、下端部水平リブｈ１ｂの先端から上方に突出した下部係止爪ｈ１ｋと、中間部水平リブｈ１ｊの先端から下方に突出した上部係止爪ｈ１ｍとにより、ＩＣタグホルダーＨに係止されるように構成されている。
【００２４】
次に、図１１〜図１３を用いて、溶着パレットＰの上部デッキｐ８に形成されたＩＣタグホルダ挿入開口ｐ９を経て、ＩＣタグホルダーＨのＩＣタグホルダー収容空間Ａへの挿着について説明する。
【００２５】
先ず最初に、ＩＣタグＴが収容されたＩＣタグホルダーＨを、上部デッキｐ８に形成されたＩＣタグホルダー挿入開口ｐ９の端部幅狭部ｐ９ａに、ＩＣタグホルダーＨの薄肉部ｈ２が挿入され、また、ＩＣタグホルダー挿入開口ｐ９の中央広幅部ｐ９ｂに、ＩＣタグホルダーＨの中央厚肉本体ｈ１が挿入されるように、ＩＣタグホルダー挿入開口ｐ９を経て、ＩＣタグホルダー収容空間ＡへＩＣタグホルダーＨを挿入する。この際、ＩＣタグホルダーＨに形成された弾性部材Ｈ２を構成する弾性板状部ｈ１ｇの下端に位置する係止突条ｈ１ｈが、ＩＣタグホルダー収容空間Ａの係止段差ａ１ａの上方に位置する垂直奥壁ａ１に当接し、弾性板状部ｈ１ｇの弾勢力に抗して、垂直奥壁ａ１と対向する上端水平リブａ１０方向に弾性変形する。その後、ＩＣタグホルダーＨを下降させると、弾性板状部ｈ１ｇの下端に位置する係止突条ｈ１ｈが、垂直奥壁ａ１に形成された係止段差ａ１ａに係止し、係止突条ｈ１ｈが、垂直奥壁ａ１に形成された係止段差ａ１ａに係止した時点で、弾性板状部ｈ１ｇは、その弾性復元力により、元の位置に戻ることになる。
【００２６】
また、弾性板状部ｈ１ｇの下端に位置する係止突条ｈ１ｈが、垂直奥壁ａ１に形成された係止段差ａ１ａに係止した時点では、ＩＣタグホルダーＨの下端部水平リブｈ１ｂの裏面に形成された弾性調整部材Ｈ１が、ＩＣタグホルダー収容空間Ａの底部ａ３に当接するように構成されている。このようにして、溶着パレットＰの上部デッキｐ８形成されたＩＣタグホルダ挿入開口ｐ９を経て、ＩＣタグホルダーＨが、溶着パレットＰに形成されたＩＣタグホルダー収容空間Ａに取り付けられることになる。更に、溶着パレットＰに形成されたＩＣタグホルダー収容空間Ａに、ＩＣタグホルダーＨが取り付けられた際には、ＩＣタグホルダー収容空間Ａを形成する上部壁部ａ５と下部壁部ａ６が、ＩＣタグホルダーＨの薄肉部ｈ２に近接して位置するように構成されており、従って、ＩＣタグホルダーＨを、より安定した状態で、ＩＣタグホルダー収容空間Ａに収容することができる。このことにより、ＩＣタグホルダーＨに取り付けられたＩＣタグＴに蓄積された情報を、正確に、読み取りできるとともに、情報を、確実に、書き込むことができる。
【００２７】
上述したように、ＩＣタグホルダーＨが、溶着パレットＰに取着されることになるが、一対のスキッドを溶着することにより形成される溶着パレットにおいては、一対のスキッドを溶着した際に、一対のスキッドに形成された固定ブロックの間隔が、一定せず、ＩＣタグホルダーの高さより、大きかったり、小さくなる場合がある。しかしながら、本発明においては、ＩＣタグホルダーＨを構成する下端部水平リブｈ１ｂの裏面には、弾性調整部材Ｈ１が形成されており、ＩＣタグホルダーＨが、ＩＣタグホルダー収容空間Ａに収容された際には、ＩＣタグホルダーＨの下端部水平リブｈ１ｂの裏面に形成された弾性調整部材Ｈ１が、ＩＣタグホルダー収容空間Ａの底部ａ３に当接するように構成されている。
【００２８】
上述したように、ＩＣタグホルダーＨが、溶着パレットＰに取着されることになるが、一対のスキッドを溶着することにより形成される溶着パレットにおいては、一対のスキッドを溶着した際に、一対のスキッドに形成された固定ブロックの間隔が、一定せず、ＩＣタグホルダーの高さより、大きかったり、小さくなる場合がある。しかしながら、本発明においては、ＩＣタグホルダーＨを構成する下端部水平リブｈ１ｂの裏面には、弾性変形可能な平板材からなる弾性調整部材Ｈ１が形成されており、ＩＣタグホルダーＨの弾性板状部ｈ１ｇの下端に位置する係止突条ｈ１ｈが、ＩＣタグホルダー収容空間Ａの垂直奥壁ａ１に形成された係止段差ａ１ａに係止した時点では、弾性調整部材Ｈ１が、ＩＣタグホルダー収容空間Ａの底部ａ３に当接するように構成されているので、一対のスキッドに形成された固定ブロックの間隔が、一定せず、ＩＣタグホルダーＨの高さより、大きかったり、小さくなる場合があっても、その誤差を、弾性調整部材Ｈ１により、吸収することができるので、ＩＣタグホルダーＨの高さより小さい場合には、ＩＣタグホルダーのガタツキや振動を防止することができるとともに、ＩＣタグホルダーＨの高さより大きい場合には、ＩＣタグホルダーの損傷を防止することができる。
【００２９】
上述した実施例における、ＩＣタグホルダーＨを構成する下端部水平リブｈ１ｂの裏面に形成された平板状の弾性調整部材Ｈ１に代えて、両端が、下端部水平リブｈ１ｂの裏面に連結され、円弧状部分が下方に位置する円弧状弾性片を適用することもできるなど、種々の弾性片を適用することができる。
【符号の説明】
【００３０】
Ａ・・・・・・・・・・・・・・・・ＩＣタグホルダー収容空間
ａ１ａ・・・・・・・・・・・・・・係止段差
ａ３・・・・・・・・・・・・・・・底部
Ｈ・・・・・・・・・・・・・・・・ＩＣタグホルダー
Ｈ１・・・・・・・・・・・・・・・弾性調整部材
Ｈ２・・・・・・・・・・・・・・・弾性部材
ｈ１ｈ・・・・・・・・・・・・・・係止突条
Ｐ・・・・・・・・・・・・・・・・溶着パレット
ｐ９・・・・・・・・・・・・・・・ＩＣタグホルダ挿入開口
Ｔ・・・・・・・・・・・・・・・・ＩＣタグ
【図１】
2014034402.tif 000003
【図２】
2014034402.tif 000004
【図３】
2014034402.tif 000005
【図４】
2014034402.tif 000006
【図５】
2014034402.tif 000007
【図６】
2014034402.tif 000008
【図７】
2014034402.tif 000009
【図８】
2014034402.tif 000010
【図９】
2014034402.tif 000011
【図１０】
2014034402.tif 000012
【図１１】
2014034402.tif 000013
【図１２】
2014034402.tif 000014
【図１３】
2014034402.tif 000015